(57)【特許請求の範囲】
【請求項１】
複数のＥＬモジュール、及びこのＥＬモジュールが取り付けられる格子状の器具本体を備え、前記ＥＬモジュールは、基板に形成された発光部及び電極端子を有する面状のＥＬパネルと、前記電極端子に電気的に接続されて前記発光部に電力供給する回路基板と、この回路基板へ外部電力を供給する受け入れ側コネクタ部と、前記ＥＬパネル及び回路基板が取り付けられるケース部と、を有するＥＬ照明器具であって、
前記ケース部は、その周縁が前記器具本体上に配置され、
前記受け入れ側コネクタ部は、前記ケース部から露出しており、外部電力を供給する配線の端子を差し込み可能とされ、少なくともその一部が前記ＥＬモジュールが前記器具本体に取り付けられた状態において平面視で前記器具本体とオーバーラップする位置にあることを特徴とするＥＬ照明器具。
【請求項２】
前記ＥＬモジュールは、前記受け入れ側コネクタ部から供給された外部電力の一部を他のＥＬモジュールに送出する送り側コネクタ部を有し、
前記受け入れ側コネクタ部又は送り側コネクタ部は、前記ケース部のコーナー近傍に配置されることを特徴とする請求項１に記載のＥＬ照明器具。
【発明の詳細な説明】
【技術分野】
【０００１】
本発明は、ＥＬ（エレクトロルミネッセンス）によって発光するＥＬモジュールを有するＥＬ照明器具に関する。
【背景技術】
【０００２】
従来から、複数のＥＬモジュールを有するＥＬ照明器具が知られている（例えば、特許文献１参照）。ＥＬモジュールを有するＥＬ照明器具に外部電力を供給する構成について、図６及び図７（ａ）（ｂ）を参照して説明する。図６に示されるように、ＥＬ照明器具１００は、開口１３２を有する器具本体１０３上に複数のＥＬモジュール１０２が取り付けられる。各々のＥＬモジュール１０２は、エレクトロルミネッセンスによって発光する面状のＥＬパネル１０４を有する。ＥＬパネル１０４に電力供給する回路基板は、ＥＬパネル１０４と並べて設けると、回路基板の分だけＥＬ照明器具１００の発光面積が小さくなる。発光面積を大きくするため、ＥＬパネル１０４の背面側に回路基板１０６を設けると、回路基板１０６へ外部電力を供給するコネクタ部１０５は、ＥＬモジュール１０２の中央部付近に配置される。
【０００３】
図７（ａ）に示されるように、外部電力を供給する配線の端子１０８がコネクタ部１０５に差し込まれる。コネクタ部１０５の下方にＥＬパネル１０４がある。ＥＬパネル１０４の下には、ＥＬパネル１０４から出射された光を通すため、器具本体１０３の開口１３２がある。図７（ｂ）に示されるように、端子１０８を差し込むときにＥＬモジュール１０２に加えられる荷重Ｆ１と、荷重Ｆ１を支持する器具本体１０３からの反力Ｆ２によって、ＥＬモジュール１０２に曲げモーメントが発生する。荷重Ｆ１の荷重作用点と荷重を支持する器具本体１０３との間の平面距離Ｌが大きいため、曲げモーメントが大きくなる。ＥＬパネル１０４は、この曲げモーメントによって撓みを生じ、破損する虞がある。
【先行技術文献】
【特許文献】
【０００４】
【特許文献１】特表２００７−５３６７０８号公報
【発明の概要】
【発明が解決しようとする課題】
【０００５】
本発明は、上記問題を解決するものであり、ＥＬモジュールを有するＥＬ照明器具において、ＥＬモジュールに外部電力を供給するコネクタ部に荷重が加えられても、ＥＬモジュールのＥＬパネルが破損し難くすることを目的とする。
【課題を解決するための手段】
【０００６】
本発明のＥＬ照明器具は、複数のＥＬモジュール、及びこのＥＬモジュールが取り付けられる格子状の器具本体を備え、前記ＥＬモジュールは、基板に形成された発光部及び電極端子を有する面状のＥＬパネルと、前記電極端子に電気的に接続されて前記発光部に電力供給する回路基板と、この回路基板へ外部電力を供給する受け入れ側コネクタ部と、前記ＥＬパネル及び回路基板が取り付けられるケース部と、を有するものであって、前記ケース部は、その周縁が前記器具本体上に配置され、前記受け入れ側コネクタ部は、前記ケース部から露出しており、外部電力を供給する配線の端子を差し込み可能とされ、少なくともその一部が前記ＥＬモジュールが前記器具本体に取り付けられた状態において平面視で前記器具本体とオーバーラップする位置にあることを特徴とする。
【０００７】
このＥＬ照明器具において、前記ＥＬモジュールは、前記受け入れ側コネクタ部から供給された外部電力の一部を他のＥＬモジュールに送出する送り側コネクタ部を有し、前記受け入れ側コネクタ部又は送り側コネクタ部は、前記ケース部のコーナー近傍に配置されることが好ましい。
【発明の効果】
【０００８】
本発明によれば、受け入れ側コネクタ部に荷重が加えられても、その時の荷重作用点と荷重を支持する器具本体との間の平面距離が小さいので、ＥＬパネルに作用する曲げモーメントが小さくなり、ＥＬパネルが破損し難くなる。
【図面の簡単な説明】
【０００９】
【図１】本発明の一実施形態に係るＥＬ照明器具の平面図。
【図２】同ＥＬ照明器具におけるＥＬモジュールを光照射側から見た斜視図。
【図３】同ＥＬモジュールを背面側から見た斜視図。
【図４】同ＥＬモジュールの分解斜視図。
【図５】（ａ）は上記ＥＬ照明器具のコネクタ部に端子が差し込まれる前の図１のＸ−Ｘ線断面図、（ｂ）は同コネクタ部に端子が差し込まれた時の同断面図。
【図６】従来のＥＬ照明器具の平面図。
【図７】（ａ）は同ＥＬ照明器具のコネクタ部に端子が差し込まれる前の図６のＹ−Ｙ線断面図、（ｂ）は同コネクタ部に端子が差し込まれた時の同断面図。
【発明を実施するための形態】
【００１０】
本発明の一実施形態に係るＥＬ照明器具を図１乃至図５を参照して説明する。図１に示されるように、ＥＬ照明器具１は、複数のＥＬモジュール２、及びこのＥＬモジュール２が取り付けられる格子状の器具本体３を備える。器具本体３は、ＥＬモジュール２を位置決めするための複数の突起３１と、複数の開口３２とを有する。各々のＥＬモジュール２は、面状のＥＬパネル４を有する。ＥＬパネル４から出射された光は、開口３２を通って照射される。器具本体３は、配線３３によって外部電力が供給される。外部電力は、受け入れ側コネクタ部５ａ及び送り側コネクタ部５ｂ（以下、総称してコネクタ部５という）を介して複数のＥＬモジュール２に供給される。なお、このＥＬ照明器具１は、３×３＝９個のＥＬモジュール２を有するものを示しているが、ＥＬモジュール２の数はこれに限定されない。
【００１１】
図２乃至図４に示されるように、ＥＬモジュール２は、ＥＬパネル４に加え、コネクタ部５（５ａ、５ｂ）と、回路基板６と、ケース部７とを有する。ＥＬパネル４は、基板４１に形成された発光部４２及び電極端子４３を有する。回路基板６は、電極端子４３に電気的に接続されて発光部４２に電力供給する。受け入れ側コネクタ部５ａは、回路基板６へ外部電力を供給する配線を接続する部品である。送り側コネクタ部５ｂは、受け入れ側コネクタ部５ａから供給された外部電力の一部を他のＥＬモジュール２に送出する配線を接続する部品である。ケース部７は、ＥＬパネル４及び回路基板６が取り付けられる。
【００１２】
ＥＬパネル４の基板４１は、ガラス板又はプラスチックフィルム等から成る透明な基板である。基板４１上に発光部４２が形成される。発光部４２は、有機ＥＬ素子又は無機ＥＬ素子等の面状光源である。発光部４２は、発光層及び電極層を有する。電極層は、電極端子４３に接続される。発光部４２は、シート状の銅等によって封止される。
【００１３】
回路基板６は、長尺状の３枚の基板を結合し、平面視でＨ形状に形成される。回路基板６の中央部付近に電源回路６１が設けられる。回路基板６の４つの端部にコネクタ部５（５ａ、５ｂ）が設けられる。受け入れ側コネクタ部５ａは、外部電力が供給される。供給された外部電力は、電源回路６１に入力されると共に、一部が送り側コネクタ部５ｂを介して送出される。電源回路６１の出力は、給電ワイヤ６２を介してＥＬパネル４に給電される。給電ワイヤ６２は、ワイヤボンディングによって電極端子４３に接続される。
【００１４】
ケース部７は、ケース７ａ、及びケース７ａと嵌合するカバー７ｂを有する。回路基板６は、ケース７ａにおけるカバー７ｂに臨む側に取り付けられる。ＥＬパネル４は、ケース７ａにおけるカバー７ｂに臨まない側に取り付けられる。コネクタ部５は、カバー７ｂから露出する。ケース部７は、位置決めするための突起と係合する切欠き７１が四隅に形成される。回路基板６に実装される回路素子との干渉を避けるため、カバー７ｂの中央部に凸部７２が形成され、カバー７ｂ内面に対応する凹部が形成される。回路素子を小型化し、凸部７２を省略してもよい。
【００１５】
ケース部７は、その周縁が格子状の器具本体３上に配置される（図１参照）。受け入れ側コネクタ部５ａは、ＥＬモジュール２が器具本体３に取り付けられた状態において平面視で器具本体３とオーバーラップする位置にある。すなわち、受け入れ側コネクタ部５ａは、少なくともその一部が、平面視で格子状の器具本体３と重なるように配置される。
【００１６】
送り側コネクタ部５ｂは、受け入れ側コネクタ部５ａと同様に、ＥＬモジュール２が器具本体３に取り付けられた状態において平面視で器具本体３とオーバーラップする位置にある。
【００１７】
上記のように構成されたＥＬ照明器具１において、図５（ａ）に示されるように、外部電力を供給する配線の端子８がコネクタ部５に差し込まれる。図５（ｂ）に示されるように、端子８を差し込むときにＥＬモジュール２に加えられる荷重の荷重作用点Ｐ１は、コネクタ部５のほぼ中心である。この荷重を支持する支持点Ｐ２は、器具本体３上にある。ＥＬパネル４に直交する断面において、コネクタ部５の少なくとも一部は、器具本体３の上方に位置するので、荷重作用点Ｐ１と支持点Ｐ２の間の平面距離（図５（ｂ）における横方向の距離）が小さい。したがって、荷重によってＥＬモジュール２に発生する曲げモーメントが小さくなり、ＥＬパネル４に作用する曲げモーメントも小さくなる。本実施形態では、荷重作用点Ｐ１と支持点Ｐ２の間の平面距離を０とし、曲げモーメントを０としている。このように、コネクタ部５に荷重が加えられても、その時の荷重作用点Ｐ１と荷重を支持する器具本体３との間の平面距離が小さいので、ＥＬパネル４に作用する曲げモーメントが小さくなり、ＥＬパネル４が破損し難くなる。
【００１８】
複数のＥＬモジュール２は、受け入れ側コネクタ部５ａ及び送り側コネクタ部５ｂ間の配線によって電気的に接続される（図１参照）。受け入れ側コネクタ部５ａと送り側コネクタ部５ｂは、ケース部７のコーナー近傍に配置される。このため、複数のＥＬモジュール２を器具本体３に取り付けた状態において、ＥＬモジュール２相互間の電気的接続が近接位置で行われることになり、電気的接続が容易になる。
【００１９】
回路基板６は、平面視でＨ形状に形成され、Ｈ形状の端部にコネクタ５が設けられるので（図４参照）、コネクタ部５をケース部７のコーナー近傍に配置した場合、矩形の回路基板と比べて基板面積を小さくすることができ、低コストとなる。また、回路基板６は、長尺状の３枚の基板を結合して形成されるので、１枚の基板をＨ形状に切り出すよりも低コストとなる。
【００２０】
また、回路基板６は、ＥＬパネル４の背面側、すなわち光が出射されない側に設けられ、ＥＬパネル４と並んでいない。このため、複数のＥＬモジュール２を器具本体３に取り付けた状態において、ＥＬパネル４の発光面の間隔を均一にすることができ、ＥＬ照明器具１の意匠性が向上する。
【００２１】
なお、本発明は、上記の実施形態の構成に限られず、発明の要旨を変更しない範囲で種々の変形が可能である。例えば、受け入れ側コネクタ部５ａ及び送り側コネクタ部５ｂを同じ構造のコネクタ部５とし、そのコネクタ部５を、ＥＬモジュール２外との配線に応じて受け入れ側コネクタ部５ａ又は送り側コネクタ部５ｂとして機能させてもよい。
【符号の説明】
【００２２】
１  ＥＬ照明器具
２  ＥＬモジュール
３  器具本体
４  ＥＬパネル
４１  基板
４２  発光部
４３  電極端子
５  コネクタ部
５ａ  受け入れ側コネクタ部
５ｂ  送り側コネクタ部
６  回路基板
７  ケース部
【図１】
0005615582.tif 000002
【図２】
0005615582.tif 000003
【図３】
0005615582.tif 000004
【図４】
0005615582.tif 000005
【図５】
0005615582.tif 000006
【図６】
0005615582.tif 000007
【図７】
0005615582.tif 000008